(57)【要約】【課題】施工後の見栄えがよく且つ施工が容易である改装サッシを提供すること。【解決手段】建物の開口部に取り付けられた既設枠１１０，３１０，４１０の内周面を覆うように取り付けられる新設枠１２０，３２０，４２０と、前記既設枠及び前記新設枠の屋内側を覆うように取り付けられる額縁部材１６０，３６０，４６０と、を備える改装サッシ１であって、前記額縁部材は、前記建物の躯体側に取り付けられる第１額縁部材１６１，３６１，４６１と、前記新設枠側に取り付けられる第２額縁部材１６２，３６２，４６２と、を有し、前記第１額縁部材及び前記第２額縁部材が、嵌合深さを調整可能な状態で互いに嵌合される。【選択図】図３
2015124517.tif 000002
【特許請求の範囲】
【請求項１】
建物の開口部に取り付けられた既設枠の内周面を覆うように取り付けられる新設枠と、前記既設枠及び前記新設枠の屋内側を覆うように取り付けられる額縁部材と、を備える改装サッシであって、
前記額縁部材は、前記建物の躯体側に取り付けられる第１額縁部材と、前記新設枠側に取り付けられる第２額縁部材と、を有し、
前記第１額縁部材及び前記第２額縁部材が、嵌合深さを調整可能な状態で互いに嵌合される改装サッシ。
【請求項２】
前記第２額縁部材は、前記開口部の内側方向に向かって開口した溝部を形成する折り返し部を有し、
前記第１額縁部材は、前記溝部に嵌合可能な差し込み部を有し、
前記差し込み部を前記溝部に差し込む深さを調整することが可能である請求項１記載の改装サッシ。
【請求項３】
前記額縁部材は、前記新設枠に取り付けられる第３額縁部材を更に有し、
前記第２額縁部材は、前記第３額縁部材の屋内側の端部に係止される請求項１又は２記載の改装サッシ。
【請求項４】
前記額縁部材として、前記既設枠及び前記新設枠の上横枠を覆うように取り付けられる上側額縁部材と、前記既設枠及び前記新設枠の両縦枠の屋内側を覆うように取り付けられる左側額縁部材及び右側額縁部材と、を有する請求項１又は２記載の改装サッシ。
【発明の詳細な説明】
【技術分野】
【０００１】
本発明は、改装サッシに関する。
【背景技術】
【０００２】
従来、建物の開口部に取り付けられた既設枠体の内周面を覆うように取り付けられる新設枠体を備えた改装サッシが知られている。改装サッシの施工時には、既設枠体及び新設枠体の屋内側を覆うように、額縁部材が配置される。
【０００３】
ところで、既設枠体の取り付けられる開口部の歪みや、既設枠体取り付け時の施工誤差に起因して、改装サッシの施工後に、額縁部材と建物の躯体の間の一部分に隙間が開いてしまう場合がある。このような場合には、額縁部材と躯体との間に気密ビードを配置したり、額縁部材と躯体の隙間をシール処理することによって額縁部材と躯体の隙間を埋めていた（例えば、特許文献１参照）。
【先行技術文献】
【特許文献】
【０００４】
【特許文献１】特開２００８−６３７２５号公報
【発明の概要】
【発明が解決しようとする課題】
【０００５】
しかしながら、額縁部材と躯体との間に気密ビードを配置したり、額縁部材と躯体の隙間をシール処理した場合、額縁部材と躯体の隙間を埋めることはできるものの、見栄えが悪くなってしまっていた。また、額縁部材と躯体との間を、湿式工法でシール処理した場合には、シーリング材の養生に時間がかかり、改装サッシの施工期間が長くなってしまうことも問題であった。
【０００６】
本発明は、施工後の見栄えがよく且つ施工が容易である改装サッシを提供することを目的とする。
【課題を解決するための手段】
【０００７】
（１）上記目的を達成するため本発明は、建物の開口部に取り付けられた既設枠（例えば、後述の既設枠１１０，３１０，４１０）の内周面を覆うように取り付けられる新設枠（例えば、後述の新設枠１２０，３２０，４２０）と、前記既設枠及び前記新設枠の屋内側を覆うように取り付けられる額縁部材（例えば、後述の額縁部材１６０，３６０，４６０）と、を備える改装サッシ（例えば、後述の改装サッシ１）であって、前記額縁部材は、前記建物の躯体側に取り付けられる第１額縁部材（例えば、後述の第１額縁部材１６１，３６１，４６１）と、前記新設枠側に取り付けられる第２額縁部材（例えば、後述の第２額縁部材１６２，３６２，４６２）と、を有し、前記第１額縁部材及び前記第２額縁部材が、嵌合深さを調整可能な状態で互いに嵌合される改装サッシを提供する。
【０００８】
（２）前記第２額縁部材は、前記開口部の内側方向に向かって開口した溝部（例えば、後述の溝部１６２ａ，３６２ａ，４６２ａ）を形成する折り返し部（例えば、後述の折り返し部１６２ｂ，３６２ｂ，４６２ｂ）を有し、前記第１額縁部材は、前記溝部に嵌合可能な差し込み部（例えば、後述の差し込み部１６１ａ，３６１ａ，４６１ａ）を有し、前記差し込み部を前記溝部に差し込む深さを調整することが可能であることが好ましい。
【０００９】
（３）前記額縁部材は、前記新設枠に取り付けられる第３額縁部材（例えば、後述の第３額縁部材１６３）を更に有し、前記第２額縁部材は、前記第３額縁部材の屋内側の端部に係止されることが好ましい。
【００１０】
（４）前記額縁部材として、前記既設枠及び前記新設枠の上横枠を覆うように取り付けられる上側額縁部材（例えば、後述の額縁部材１６０）と、前記既設枠及び前記新設枠の両縦枠の屋内側を覆うように取り付けられる左側額縁部材（例えば、後述の額縁部材３６０）及び右側額縁部材（例えば、後述の額縁部材４６０）と、を有することが好ましい。
【発明の効果】
【００１１】
本発明によれば、施工後の見栄えがよく且つ施工が容易である改装サッシを提供することができる。
【図面の簡単な説明】
【００１２】
【図１】本発明の一実施形態に係る改装サッシを室内側から見た正面図である。
【図２】上記実施形態に係る改装サッシの縦断面図である。
【図３】図２に示す改装サッシの上横枠部分の拡大図である。
【図４】上記実施形態に係る改装サッシの横断面図である。
【図５】図４に示す改装サッシの左縦枠部分の拡大図である。
【図６】上記実施形態に係る改装サッシにおける額縁部材の施工手順を示す図である。
【図７】上記実施形態に係る改装サッシにおける額縁部材の配置を模式的に示す正面図である。
【図８】上記実施形態に係る改装サッシにおける額縁部材の機能について説明する図である。
【図９】上記実施形態に係る改装サッシにおける額縁部材の機能について説明する図である。
【発明を実施するための形態】
【００１３】
以下、本発明の一実施形態について、図面を参照しながら詳しく説明する。
本発明の一実施形態に係る改装サッシは、マンションの壁の開口部に納められた引違い窓タイプの改装サッシである。本実施形態に係る改装サッシは、カバー工法によって形成される。
なお、本明細書において、「見付方向」とは、マンションの壁の開口部に納められた引違い窓における障子の面方向（即ち、左右方向）を意味し、「見込方向」とは、屋内外方向（即ち、奥行き方向）を意味する。
【００１４】
図１は、本実施形態に係る改装サッシ１を屋内側から見た正面図である。より詳しくは、内障子２０及び外障子３０を閉鎖したときの改装サッシ１を、屋内側から見た正面図である。
図１に示すように、改装サッシ１は、いずれも長尺状の上横枠１００、下横枠２００、左縦枠３００及び右縦枠４００により矩形に枠組みされた窓枠１０と、該窓枠１０内に開閉可能に嵌め込まれた内障子２０及び外障子３０と、を備える。
【００１５】
内障子２０は、いずれも長尺状の上横框２１、下横框２２、左縦框（召内框）２３及び右縦框（戸先框）２４により矩形に枠組みされた框体２５と、框体２５内に嵌め込まれて固定されたガラス２６と、を含んで構成される。
外障子３０は、いずれも長尺状の上横框３１、下横框３２、左縦框（召外框）３４及び右縦框（戸先框）３３により矩形に枠組みされた框体３５と、框体３５内に嵌め込まれて固定されたガラス３６と、を含んで構成される。
【００１６】
内障子２０と外障子３０の召合わせには、戸締り用のクレセント錠４０が設けられている。これら内障子２０及び外障子３０は、いずれも引き戸であり、これらを見付方向にスライドさせることで、開口部が閉鎖又は開放される。
【００１７】
図２は、本実施形態に係る改装サッシ１の縦断面図である。図２に示すように、ガラス２６，３６は、それぞれ、屋外側の板ガラス２６ａ，３６ａと、屋内側の板ガラス２６ｂ，３６ｂと、これら２枚の板ガラスで挟持されたスペーサ２６ｃ，３６ｃと、を備える複層ガラスであり、優れた断熱性を有する。
【００１８】
上横枠１００は、既設枠１１０と、新設枠１２０と、第１取付部材１３０と、ライナー１４０と、第２取付部材１５０と、額縁部材１６０と、を含んで構成される。なお、ライナー１４０を除いて、これらは特に断りの無い限り、いずれも見付方向に延びて通しで設けられている。
【００１９】
既設枠１１０は、既設の木製額縁１１２にねじ止めされた連結金具１１１に連結されている。既設枠１１０は、屋内側から屋外側に向かって順に、それぞれ下方に垂設された、屋内側部１１０Ａと、既設ガイドレール１１０Ｂ，１１０Ｃと、屋外側部１１０Ｄと、を備える。
屋内側部１１０Ａは、その屋外側面に後述する第１取付部材１３０が当接するとともに、その屋内側面に後述する第２取付部材１５０が連結される。屋内側部１１０Ａには、その下側面に後述する第２取付部材１５０が第１気密部材１Ａを介して当接する。
既設ガイドレール１１０Ｂ，１１０Ｃは、改装前に使用されていた障子用のガイドレールである。
屋外側部１１０Ｄは、その屋内側面に後述する第１取付部材１３０が当接するとともに、その屋外側面に後述する新設枠１２０に取り付けられたカバー材が当接する。
【００２０】
新設枠１２０は、第１取付部材１３０及びライナー１４０を介して、既設枠１１０の下部に取り付けられる。
第１取付部材１３０は、既設枠１１０に新設枠１２０を取り付けるための部材である。第１取付部材１３０は、略平板状であり、その上面に既設ガイドレール１１０Ｂ，１１０Ｃの先端が当接する。見込方向の略中央に形成された凸部において、第１取付部材１３０は既設枠１１０にねじ止めされる。
第１取付部材１３０は、その屋内側端部に、上方に立設され且つその先端が屋内側に屈曲して既設枠１１０の屋内側部１１０Ａに当接する屋内側係合部１３０Ａを備える。また、第１取付部材１３０は、その屋外側端部に、上方に立設されて既設枠１１０の屋外側部１１０Ｄの屋内側面に当接する屋外側係合部１３０Ｂを備える。これら屋内側係合部１３０Ａと屋外側係合部１３０Ｂにより、第１取付部材１３０は既設枠１１０に係合する。
【００２１】
ライナー１４０は、既設枠１１０と新設枠１２０との隙間を埋める部材である。ライナー１４０は、本実施形態では４枚積層されている。このライナー１４０は、見付方向に所定間隔を設けて配置される。具体的には、ライナー１４０は、既設枠１１０に固定された第１取付部材１３０に新設枠１２０をねじ止めする図示しないねじのピッチごとに配置される。
【００２２】
新設枠１２０は、その屋内側において、後述する額縁部材１６０とともにライナー１４０を介して、既設枠１１０にねじ止めされた第１取付部材１３０にねじ止めされる。また、新設枠１２０は、その屋外側において、ライナー１４０を介して、既設枠１１０にねじ止めされた第１取付部材１３０にねじ止めされる。
【００２３】
新設枠１２０は、屋内側から屋外側に向かって順に、それぞれ下方に垂設された、屋内側部１２０Ａと、新設ガイドレール１２０Ｂ，１２０Ｃと、屋外側部１２０Ｄと、を備える。
屋内側部１２０Ａには、額縁部材１６０が取り付けられるとともに、その屋内側面には、後述する第２取付部材１５０が第３気密部材３Ａを介して当接する。
新設ガイドレール１２０Ｂは、内障子２０用のガイドレールであり、新設ガイドレール１２０Ｃは、外障子用ガイドレールである。これら新設ガイドレール１２０Ｂ，１２０Ｃには、後述する内障子２０又は外障子３０の上端部に取り付けられた上部振れ止め部材５１，５２が係合する。これにより、内障子２０又は外障子３０が窓枠１０内を見付方向にスムーズにスライド可能となっている。
屋外側部１２０Ｄは、外障子３０よりも屋外側に設けられ、外障子３０の上端部と上下方向において重複するまで下方に延出することで、外障子３０の上端部を覆っている。
【００２４】
第２取付部材１５０は、既設枠１１０と新設枠１２０とを接合し、当該第２取付部材１５０に取り付けられた第１気密部材１Ａ及び第３気密部材３Ａにより、既設枠１１０と新設枠１２０との間の隙間を塞ぐ機能を有する。
【００２５】
額縁部材１６０は、第１額縁部材１６１と、第２額縁部材１６２と、第３額縁部材１６３と、を有し、既設枠１１０及び新設枠１２０の屋内側を覆うように取り付けられる。
第１額縁部材１６１は、マンションの躯体側に取り付けられる。より、詳しくは、第１額縁部材１６１は、上述の連結金具１１１を介して木製額縁１１２にねじ１６４によりねじ止めされて下方に延出する。
第２額縁部材１６２は、第２取付部材１５０の屋内側で上下方向に延設されて第１額縁部材１６１に係合することにより、新設枠１２０側に取り付けられる。
第３額縁部材１６３は、第２額縁部材１６２の下端部及び新設枠１２０屋内側部１２０Ａの下部に取り付けられて屈曲しながら見込方向に延設される。第３額縁部材１６３は、新設枠１２０にねじ１６５によりねじ止めされる。
【００２６】
続いて、図３も参照しながら額縁部材１６０についてより詳細に説明する。図３は、図２に示す改装サッシ１の上横枠１００部分の拡大図である。
第２額縁部材１６２は、板状の部材である。第２額縁部材１６２は、上側の端部に、下方に向かって開口した溝部１６２ａを形成する折り返し部１６２ｂを有する。第２額縁部材１６２は、下側の端部に、第３額縁部材１６３の屋内側の端部を挟み込んで係止するために形成された係止部１６２ｃを有する。
第１額縁部材１６１は、断面視Ｌ字状の部材である。第１額縁部材１６１は、屋外側の下端が第２額縁部材１６２の屋内側の面１６２ｄに当接している。第１額縁部材１６１は、屋外側の端部から上方に向かって延び、第２額縁部材１６２の溝部１６２ａに嵌合可能な差し込み部１６１ａを有する。差し込み部１６１ａの屋内側の面１６１ｂは、折り返し部１６２ｂの屋外側の面１６２ｅと接する。
第１額縁部材１６１の差し込み部１６１ａと、第２額縁部材１６２の溝部１６２ａとでは、高さ方向に嵌合深さを調整可能である。
【００２７】
図２に戻って、下横枠２００は、既設枠２１０と、新設枠２２０と、第２取付部材２５０と、額縁部材２６０と、を含んで構成される。なお、これらは特に断りの無い限り、いずれも見付方向に延びて通しで設けられている。
【００２８】
既設枠２１０は、既設の木製額縁２１２にねじ止めされた連結金具２１１に連結されている。既設枠２１０は、屋内側から屋外側に向かって階段状に下降するように形成されている。また、既設枠２１０は、屋内側から屋外側に向かって順に、それぞれ上方に立設された、屋内側部２１０Ａと、既設ガイドレール２１０Ｂ，２１０Ｃと、屋外側部２１０Ｄと、を備える。
屋内側部２１０Ａは、上述の連結金具２１１を介して既設の木製額縁２１２に固定されるとともに、その上端部は、後述する第２取付部材２５０に第１気密部材１Ｂを介して当接する。
既設ガイドレール２１０Ｂ，２１０Ｃは、改装前に使用されていた障子用のガイドレールである。
屋外側部２１０Ｄは、その屋内側面に後述する第２取付部材２５０の階段状部２５０Ｃの屋外側端部が当接するとともに、その屋外側面に後述する新設枠２２０の屋外側で下方に延びる屋外側垂設部２２０Ｄが当接する。
【００２９】
第２取付部材２５０は、既設枠２１０に新設枠２２０を取り付けるための部材である。第２取付部材２５０は、既設枠２１０と同様に、屋内側から屋外側に向かって階段状に下降するように形成されている。また、第２取付部材２５０は、屋内側に略水平に延出し且つ上述の連結金具を介して木製額縁２１２にねじ止めされた水平部２５０Ａと、当該水平部２５０Ａの屋外側端部から下方に垂設された垂設部２５０Ｂと、当該垂設部２５０Ｂから屋外側に向かって階段状に下降する階段状部２５０Ｃと、を備える。
水平部２５０Ａは、その上面に後述する額縁部材２６０が取り付けられ、その下面に上述した既設枠２１０の屋内側部２１０Ａの上端部が第１気密部材１Ｂを介して当接する。
垂設部２５０Ｂは、その屋外側面に取り付けられた第３気密部材３Ｂを介して、新設枠２２０の屋内側部２２０Ａに当接する。
階段状部２５０Ｃは、その上面が後述する新設枠２２０と当接し、新設枠２２０にねじ止めされる。また、階段状部２５０Ｃの屋外側端部は、既設枠２１０の既設ガイドレール２１０Ｃと屋外側部２１０Ｄとの間に嵌合する。
【００３０】
新設枠２２０は、屋内側から屋外側に向かって順に、それぞれ上方に立設された、屋内側部２２０Ａと、新設ガイドレール２２０Ｂ，２２０Ｃと、屋外側垂設部２２０Ｄと、を備える。
屋内側部２２０Ａには、額縁部材２６０が取り付けられるとともに、その屋内側面には、第２取付部材２５０の垂設部２５０Ｂが第３気密部材３Ｂを介して当接する。
新設ガイドレール２２０Ｂは、内障子２０用のガイドレールであり、新設ガイドレール２２０Ｃは、外障子用ガイドレールである。これら新設ガイドレール２２０Ｂ，２２０Ｃには、内障子２０又は外障子３０の底部に取り付けられた戸車５６ａ，５６ｂが、転動可能に係合する。
屋外側垂設部２２０Ｄは、第２取付部材２５０の階段状部２５０Ｃの屋外側端部とともに、既設枠２１０の屋外側部２１０Ｄにねじ止めされる。
【００３１】
額縁部材２６０は、屋内側に配置され且つ第２取付部材２５０の水平部２５０Ａ上に取り付けられた第１額縁部材２６１と、当該第１額縁部材２６１の屋外側に取り付けられた第２額縁部材２６２と、を含んで構成される。
【００３２】
第２取付部材２５０は、既設枠２１０と新設枠２２０とを接合し、当該第２取付部材２５０に取り付けられた第１気密部材１Ｂ及び第３気密部材３Ｂにより、既設枠２１０と新設枠２２０との間の隙間を塞ぐ機能を有する。
【００３３】
内障子２０の上横框２１は、外障子３０の上横框３１と略同一の構成であり、内障子２０の下横框２２は、外障子３０の下横框３２と略同一の構成である。これらの框はいずれも、見付方向に延びて通しで設けられている。従って、以下では、内障子２０の上横框２１及び下横框２２についてのみ説明する。
【００３４】
上横框２１は、中空部を有するホロー構造の上横框本体２１ａと、上横框本体２１ａの下面の屋外側で下方に垂設された上横框垂設部２１ｂと、上横框本体２１ａの屋内側で上横框本体２１ａの上端から上横框垂設部２１ｂの位置まで延出する上横框屋内側部２１ｃと、を備える。
上横框本体２１ａの上部に形成された開口には上部振れ止め部材５１が設けられ、この上部振れ止め部材５１に上述の新設ガイドレール１２０Ｂが係合する。
上横框垂設部２１ｂと上横框屋内側部２１ｃの下端部とにより、緩衝部材５５ａを介してガラス２６の上端部が挟持される。
【００３５】
下横框２２は、中空部を有するホロー構造の下横框本体２２ａと、下横框本体２２ａの上面の屋外側に立設された下横框立設部２２ｂと、下横框本体２２ａの屋内側で下横框本体２２ａの下端から下横框立設部２２ｂの位置まで延出する下横框屋内側部２２ｃと、を備える。
下横框立設部２２ｂと下横框屋内側部２２ｃの上端部とにより、緩衝部材５５ａを介してガラス２６の下端部が挟持される。
【００３６】
下横框本体２２ａの中空部内には下部振れ止め部材５３が設けられる。下部振れ止め部材５３の下端が、下横框本体２２ａの下面に形成された開口から下方に突出し、新設ガイドレール２２０Ｂに係合する。また、中空部内に設けられた戸車５６ａが、下横框本体２２ａの下面に形成された開口から下方に突出し、新設ガイドレール２２０Ｂに転動可能に係合する。これにより、内障子２０が新設ガイドレール２２０Ｂに沿ってスライド移動する際に、下部振れ止め部材５３によって内障子２０の見込方向のがたつきが抑制される。
【００３７】
図４は、本実施形態に係る改装サッシ１の横断面図である。なお、左縦枠３００と右縦枠４００は同一の構成であるため、以下では左縦枠３００についてのみ説明する。同様に、外障子３０の左縦框（戸先框）３３と内障子２０の右縦框（戸先框）２４は同一の構成であるため、以下では外障子３０の左縦框３３についてのみ説明する。
【００３８】
図４に示すように、左縦枠３００は、既設枠３１０と、新設枠３２０と、第１取付部材３３０と、ライナー３４０と、第２取付部材３５０と、額縁部材３６０と、を含んで構成される。なお、ライナー３４０を除いて、これら及びこれらを構成する部分はいずれも、上下方向に延びて通しで設けられている。
【００３９】
既設枠３１０は、既設の木製額縁３１２にねじ止めされた連結金具３１１に連結されている。既設枠３１０は、屋内側から屋外側に向かって順に、それぞれ障子側（右側）に延出する、屋内側部３１０Ａと、リブ３１０Ｂと、屋外側部３１０Ｃと、を備える。
屋内側部３１０Ａは、その屋外側面に後述する第１取付部材３３０が当接するとともに、その屋内側面に後述する第２取付部材３５０が連結される。
リブ３１０Ｂは、改装前に使用されていた障子のガイドであり、その屋外側面に後述する第１取付部材３３０が当接する。
屋外側部３１０Ｃは、その屋内側面に第１取付部材３３０が当接するとともに、その屋外側面に後述する新設枠３２０に取り付けられたカバー材３２０Ｅが当接する。
【００４０】
新設枠３２０は、第１取付部材３３０及びライナー３４０を介して、既設枠３１０の障子側に取り付けられる。
第１取付部材３３０は、既設枠３１０に新設枠３２０を取り付けるための部材である。第１取付部材３３０は、略平板状であり、見込方向の略中央に形成された凸部において、第１取付部材３３０は既設枠３１０にねじ止めされる。
第１取付部材３３０は、その屋内側端部において、既設枠３１０側（左側）に延出して既設枠３１０に当接する屋内側係合部３３０Ａを備える。また、第１取付部材３３０は、その屋外側端部に、既設枠３１０側に延出して既設枠３１０の屋外側部３１０Ｃの屋内側面に当接する屋外側係合部３３０Ｂを備える。これら屋内側係合部３３０Ａと屋外側係合部３３０Ｂにより、第１取付部材３３０は既設枠３１０に係合する。
【００４１】
ライナー３４０は、既設枠３１０と新設枠３２０との隙間を埋める部材である。ライナー３４０は、本実施形態では４枚積層されている。このライナー３４０は、上下方向に所定間隔を設けて配置される。具体的には、ライナー３４０は、既設枠３１０に固定された第１取付部材３３０に新設枠３２０をねじ止めする図示しないねじのピッチごとに配置される。
【００４２】
新設枠３２０は、その屋内側において、後述する額縁部材３６０とともにライナー３４０を介して、既設枠３１０にねじ止めされた第１取付部材３３０にねじ止めされる。また、新設枠３２０は、その屋外側において、ライナー３４０を介して、既設枠３１０にねじ止めされた第１取付部材３３０にねじ止めされる。
【００４３】
新設枠３２０は、見込方向に延びて設けられ、屋内側から屋外側に向かって順に、それぞれ障子側に延出する、屋内側部３２０Ａと、リブ３２０Ｂと、屋外側部３２０Ｃと、を備える。
屋内側部３２０Ａには、後述する額縁部材３６０が取り付けられるとともに、その屋内側面には、後述する第２取付部材３５０が第３気密部材３Ｃを介して当接する。
リブ３２０Ｂは、後述する左縦框（戸先框）３３の戸先側に取り付けられた中間振れ止め部材６２に当接する。
屋外側部３２０Ｃは、外障子３０よりも屋外側に設けられ、閉じた状態の外障子３０の左端部と左右方向において重複するまで障子側に延出することで、外障子３０の左端部を覆っている。
【００４４】
また、新設枠３２０の障子側には、新設枠３２０の障子側面を覆って保護するためのカバー材３２０Ｄが上下方向に延設されている。
また、カバー材３２０Ｄの内障子２０側の上部及び下部には（図３では下部のみが表示）、排水孔６１ａを備える内障子ストッパー６１が設けられる。この内障子ストッパー６１により、内障子２０の開放時に、クレセント錠４０が左縦枠３００に衝突するのが回避され、左縦枠３００やクレセント錠４０の破損が回避される。
【００４５】
第２取付部材３５０は、既設枠３１０と新設枠３２０とを接合し、当該第２取付部材３５０に取り付けられた第１気密部材１Ｃ及び第３気密部材３Ｃにより、既設枠３１０と新設枠３２０との間の隙間を塞ぐ機能を有する。
【００４６】
額縁部材３６０は、第１額縁部材３６１と、第２額縁部材３６２と、を有し、既設枠３１０及び新設枠３２０の屋内側を覆うように取り付けられる。
第１額縁部材３６１は、マンションの躯体側に取り付けられる。より、詳しくは、第１額縁部材３６１は、上述の連結金具３１１を介して木製額縁３１２にねじ３６４によりねじ止めされて下方に延出する。
第２額縁部材３６２は、新設枠３２０の屋内側部３２０Ａに取り付けられて見込方向に延出した後、見付け方向の既設枠３１０側に屈曲して延出し、第１額縁部材３６１に係合する。第２額縁部材３６２は、新設枠３２０にねじ３６５によりねじ止めされる。
【００４７】
続いて、図５も参照しながら額縁部材１６０についてより詳細に説明する。図５は、図４に示す改装サッシ１の左縦枠３００部分の拡大図である。
第２額縁部材３６２は、見付方向左側の端部に、右側に向かって開口した溝部３６２ａを形成する折り返し部３６２ｂを有する。第１額縁部材３６１は、断面視Ｌ字状の部材である。第１額縁部材３６１は、屋外側の右端が第２額縁部材３６２の屋内側の面３６２ｄに当接している。第１額縁部材３６１は、屋外側の端部から左側に向かって延び、第２額縁部材３６２の溝部３６２ａに嵌合可能な差し込み部３６１ａを有する。差し込み部３６１ａの屋内側の面３６１ｂは、折り返し部３６２ｂの屋外側の面３６２ｅと接する。
第１額縁部材３６１の差し込み部３６１ａと、第２額縁部材３６２の溝部３６２ａとでは、見付方向（左右方向）に嵌合深さを調整可能である。
【００４８】
図４に戻って、外障子３０の左縦框（戸先框）３３は、中空部を有するホロー構造の左縦框本体３３ａと、左縦框本体３３ａの障子側面の屋外側で障子側に延出する左縦框延出部３３ｂと、左縦框本体３３ａの屋内側で左縦框本体３３ａの左縦枠３００側の端部から左縦框延出部３３ｂの位置まで延出する左縦框屋内側部３３ｃと、を備える。
左縦框本体３３ａの左縦枠３００側に形成された開口には中間振れ止め部材６２が設けられ、この中間振れ止め部材６２に上述のリブ３２０Ｂが係合する。
左縦框延出部３３ｂと左縦框屋内側部３３ｃの障子側端部とにより、緩衝部材６３ａを介してガラス３６の左縦框側（戸先側）端部が挟持される。
【００４９】
外障子３０の右縦框（召外框）３４は、中空部を有するホロー構造の右縦框本体３４ａにより構成される。右縦框本体３４ａの左縦枠３００側に形成された開口には、ガラス３６の右縦框側端部が挿入され、その開口縁によりガラス３６の右縦框側端部が緩衝部材６４ａを介して挟持される。
【００５０】
右縦框３４の屋内側には、後述する内障子２０の左縦框（召内框）２３に設けられたクレセント錠４０のクレセント金具４１が係合するクレセント受け金具４５が設けられる。また、右縦框３４の屋内側には、内障子２０の左縦框２３に設けられた後述の溝部２３ｂに係合する係合部３４ｂが設けられる。
【００５１】
内障子２０の左縦框２３は、見込方向に連なる２つの中空部を有するホロー構造の左縦框本体２３ａにより構成される。
左縦框本体２３ａの内障子側に形成された開口には、ガラス２６の左縦框側端部が挿入され、その開口縁によりガラス２６の左縦框側端部が緩衝部材６５ａを介して挟持される。
【００５２】
また、左縦框本体２３ａの屋外側には、見付方向に延び、上述の係合部３４ｂが係合する溝部２３ｂが設けられる。
また、左縦框本体２３ａの屋内側の全面を覆って保護するための左縦框保護部材２３ｃが上下方向に延設されている。
【００５３】
左縦框保護部材２３ｃの外障子３０側の見込面には、戸締まり用のクレセント錠４０が設けられる。なお、左縦框保護部材２３ｃの屋内側面には、その全面を覆う意匠部材２３ｄが設けられる。
クレセント錠４０は、左縦框保護部材２３ｃの外障子３０側の見込面に取り付けられた基部４３と、操作用レバー４２と、操作用レバー４２に連動して回転し、上述のクレセント受け金具４５に係合するクレセント金具４１と、基部４３に設けられたサブロック４４と、を備える。
【００５４】
続いて、上横枠１００における額縁部材１６０の施工手順について説明する。図６は、額縁部材１６０の施工手順を示す図である。
図６（ａ）は、上横枠１００の額縁部材１６０以外の部材を取り付けた状態の図である。このように、額縁部材は、窓枠１０の施工における最終段階で取り付けられる。
【００５５】
まず、図６（ｂ）に示すように、新設枠１２０の下側に第３額縁部材１６３を配置して、ねじ１６５によって第３額縁部材１６３を新設枠１２０に固定する。続いて、図６（ｂ）に示すように、第２額縁部材１６２を第２取付部材１５０の屋内側に当接させて配置する。この際に、第２額縁部材１６２の係止部１６２ｃを、第３額縁部材１６３の屋内側の端部に係止する。
【００５６】
最後に、図６（ｄ）に示すように、差し込み部１６１ａを溝部１６２ａに嵌合して、第１額縁部材１６１を配置し、第１額縁部材１６１を、木製額縁１１２にねじ１６４によりねじ止めする。
【００５７】
額縁部材３６０，４６０についても、額縁部材１６０と同様に屋外側の部材から順番に取り付けられる。具体的には、まず第２額縁部材３６２，４６２を配置してした後に、ネジ３６５，４６５によって新設枠３２０，４２０に固定する。続いて、差し込み部３６１ａ，４６１ａを溝部３６２ａ，４６２ａに嵌合することで、第１額縁部材３６１，４６１を配置する。最後に、第１額縁部材３６１，４６１を、ネジ３６４，４６４により木製額縁３１２，４１２に固定する。
内障子２０及び外障子３０は、全ての額縁部材が取り付けられた後に窓枠１０内にケンドン式にて嵌め込まれる。
【００５８】
図７は、改装サッシ１における額縁部材１６０，２６０，３６０の配置を模式的に示す正面図である。なお、図６においては、額縁部材１６０，２６０（第１額縁部材１６１，２６１及び第２額縁部材１６２）の正面図だけではなく縦断面図も示す。また、額縁部材３６０（第１額縁部材３６１及び第２額縁部材３６２）についても、正面図だけではなく横断面図も示す。なお、図７では、内障子２０及び外障子３０については示していない。
【００５９】
図７に示すように、上横枠１００、下横枠２００及び左縦枠３００の屋内側は、それぞれ、額縁部材１６０，２６０，３６０により覆われる。額縁部材１６０と額縁部材３６０とが接する隅（左上の隅）には、額縁部材１６０，３６０の上にキャップ部材５００が配置される。また、額縁部材２６０と額縁部材３６０とが接する隅（左下の隅）には、額縁部材２６０，３６０の上にキャップ部材６００が配置される。キャップ部材５００，６００によって、改装サッシ１の屋内側からの見栄えがよくなる。図示しないが、額縁部材１６０と額縁部材４６０とが接する隅（右上の隅）及び額縁部材２６０と額縁部材４６０とが接する隅（右下の隅）にも、同様にキャップ部材が配置される。
【００６０】
上横枠１００の屋内側に配置される額縁部材１６０は、第１額縁部材１６１及び第２額縁部材１６２の嵌合深さを調整することによって、高さ方向の幅Ｗ１を調整することができる。左縦枠３００の屋内側に配置される額縁部材３６０は、第１額縁部材３６１及び第２額縁部材３６２の嵌合深さを調整することによって、左右方向の幅Ｗ２を調整することができる。図示しないが、右縦枠４００についても同様に、第１額縁部材６６１及び第２額縁部材６６２の嵌合深さを調整することによって、左右方向の幅を調整することができる。
【００６１】
続いて、図８及び図９を参照しながら、改装サッシ１における額縁部材１６０の機能について説明する。図８は、既設枠１１０を躯体に固定した際に生じた誤差を、額縁部材１６０が吸収可能であることを示す図である。
【００６２】
図８（ａ）では、標準の設置状態（図３に示した状態）よりも、上側に既設枠１１０が設置されている。一方、図８（ｂ）では、標準の設置状態よりも、下側に既設枠１１０が設置されている。
図８に示すように、既設枠１１０が躯体に固定される際に、既設枠１１０の位置が多少上側や下側にずれていたとしても、その誤差は、額縁部材１６０の第１額縁部材１６１及び第２額縁部材１６２の相対的な位置を調整することにより吸収することができる。より具体的には、第１額縁部材１６１の差し込み部１６１ａを第２額縁部材１６２の溝部１６２ａに嵌合した際の、差し込み部１６１ａの溝部１６２ａに差し込まれる深さを調整することで位置調整できる。図８（ａ）に示すように、既設枠１１０の上端の高さＨ１が、標準の設置状態（図３に示した状態）における既設枠１１０の上端の高さよりも上側である場合には、標準の設置状態よりも、差し込み部１６１ａを溝部１６２ａに浅く嵌合させる。一方、図８（ｂ）に示すように、既設枠１１０の上端の高さＨ２が、標準の設置状態における既設枠１１０の上端の高さよりも下側である場合には、標準の設置状態よりも、差し込み部１６１ａを溝部１６２ａに深く嵌合させる。
【００６３】
図９は、既設枠１１０を固定した後に生じた開口部の形状の歪みを、額縁部材１６０が吸収可能であることを示す図である。
図９（ａ）では、標準の設置状態（図３に示した状態）よりも上側に新設枠１２０が配置されている。一方、図９（ｂ）では、標準の設置状態よりも下側に新設枠１２０が配置されている。
図９に示すように、既設枠１１０が固定された後に開口部に歪みが生じ、新設枠１２０の配置されるべき位置が、既設枠１１０の位置に対して多少上側や下側にずれていたとしても、その誤差は、額縁部材１６０の第１額縁部材１６１及び第２額縁部材１６２の相対的な位置を調整することにより吸収することができる。より具体的には、第１額縁部材１６１の差し込み部１６１ａを第２額縁部材１６２の溝部１６２ａに嵌合した際の、差し込み部１６１ａの溝部１６２ａに差し込まれる深さを調整することで位置調整できる。図９（ａ）に示すように、標準の設置状態（図３に示した状態）より上側に新設枠１２０を配置する場合には、ライナー１４０の積層する枚数を少なくした上で（例えば、２枚のライナー１４０を積層する）、標準の設置状態よりも、差し込み部１６１ａを溝部１６２ａに浅く嵌合させる。一方、図８（ｂ）に示すように、標準の設置状態（図３に示した状態）より下側に新設枠１２０を配置する場合には、ライナー１４０の積層する枚数を多くした上で（例えば、６枚のライナー１４０を積層する）、標準の設置状態よりも、差し込み部１６１ａを溝部１６２ａに深く嵌合させる。
【００６４】
以上、図８及び図９を用いて、上下方向の、既設枠１１０の設置誤差や開口部の歪みを額縁部材１６０によって吸収する方法について説明した。左右方向の、既設枠１１０の設置誤差や開口部の歪みについては、額縁部材１６０を用いた上記の方法と同様の方法により額縁部材３６０，４６０によって吸収することが可能である。
【００６５】
本実施形態によれば、以下の効果が奏される。
（１）本実施形態では、改装サッシ１の額縁部材１６０，３６０，４６０を、建物としてのマンションの躯体側に取り付けられる第１額縁部材１６１，３６１，４６１と、新設枠１２０，３２０，４２０側に取り付けられる第２額縁部材１６２，３６２，４６２と、を有するものとした。更に、第１額縁部材１６１，３６１，４６１及び第２額縁部材１６２，３６２，４６２を、嵌合深さを調整可能な状態で互いに嵌合させた。
これにより、額縁部材１６０の高さ方向の幅Ｗ１及び額縁部材３６０，４６０の左右方向の幅Ｗ２を調整することが可能になる。幅Ｗ１や幅Ｗ２を調整することで、既設枠１１０，３１０，４１０の設置誤差や開口部の歪みを額縁部材１６０，３６０，４６０によって吸収することが可能になる。また、額縁部材１６０，３６０，４６０の設置においては、養生工程を必要とするシーリング材を用いる必要がない。従って、改装サッシ１（額縁部材１６０，３６０，４６０）は、施工後の見栄えがよく且つ施工が容易である。
【００６６】
（２）また、本実施形態では、第２額縁部材１６２，３６２，４６２が、開口部の内側方向に向かって開口した溝部１６２ａ，３６２ａ，４６２ａを形成する折り返し部１６２ｂ，３６２ｂ，４６２ｂを有するものとした。更に、第１額縁部材１６１，３６１，４６１が、溝部１６２ａ，３６２ａ，４６２ａに嵌合可能な差し込み部１６１ａ，３６１ａ，４６１ａを有するものとすることで、差し込み部１６１ａ，３６１ａ，４６１ａを溝部１６２ａ，３６２ａ，４６２ａに差し込む深さを調整することを可能にした。
これにより、差し込み部１６１ａ，３６１ａ，４６１ａを溝部１６２ａ，３６２ａ，４６２ａに差し込む深さを調整するだけで、額縁部材１６０の高さ方向の幅Ｗ１及び額縁部材３６０，４６０の左右方向の幅Ｗ２を調整することが可能になる。従って、改装サッシ１（額縁部材１６０，３６０，４６０）は、施工がより容易になる。
【００６７】
（３）また、本実施形態では、額縁部材１６０が、新設枠１２０に取り付けられる第３額縁部材１６３を更に有するものとした。また、第２額縁部材１６２は、第３額縁部材１６３の屋内側の端部に係止されるものとした。
このように、上記のように第１額縁部材１６１及び第２額縁部材１６２の嵌合深さを調整可能にした上で、第２額縁部材１６２を第３額縁部材１６３の端部に係止できるようにすれば、開口部が歪んでしまった場合でも負荷をかけることなく第２額縁部材１６２を第３額縁部材１６３の端部に係止できる。従って、改装サッシ１（額縁部材１６０）の施工はより容易になる。
【００６８】
（４）また、本実施形態では、第１額縁部材及び第２額縁部材の嵌合深さが調整可能である額縁部材１６０，３６０，４６０を、上横枠１００、左縦枠３００及び右縦枠４００の屋内側に配置した。
これにより、既設枠１１０，３１０，４１０の設置誤差や開口部の歪みを高さ方向と左右方向の両方で吸収することが可能になる。従って、改装サッシ１（額縁部材１６０，３６０，４６０）は、施工後の見栄えがよりよくなる。
【００６９】
なお、本発明は上記実施形態に限定されるものではなく、本発明の目的を達成できる範囲での変形、改良等は本発明に含まれる。例えば、本実施形態においては、改装サッシ１を引違い窓タイプとしたがこれに限定されない。
【符号の説明】
【００７０】
１…改装サッシ
１１０，３１０，４１０…既設枠
１２０，３２０，４２０…新設枠
１６０…額縁部材（上側額縁部材）
３６０…額縁部材（左側額縁部材）
４６０…額縁部材（右側額縁部材）
１６１，３６１，４６１…第１額縁部材
１６１ａ，３６１ａ，４６１ａ…差し込み部
１６２，３６２，４６２…第２額縁部材
１６２ａ，３６２ａ，４６２ａ…溝部
１６２ｂ，３６２ｂ，４６２ｂ…折り返し部
１６３，３６３，４６３…第３額縁部材
【図１】
2015124517.tif 000003
【図２】
2015124517.tif 000004
【図３】
2015124517.tif 000005
【図４】
2015124517.tif 000006
【図５】
2015124517.tif 000007
【図６】
2015124517.tif 000008
【図７】
2015124517.tif 000009
【図８】
2015124517.tif 000010
【図９】
2015124517.tif 000011